(57)【要約】【課題】  組み立て作業の作業効率の低下やコストの増加を防止できるとともに、筐体への傷付きを確実に防止できるようにする。【解決手段】  折畳式携帯電話機１００は、操作部側筐体３の外部接続部に、弾性体材料を用いて作製された外部接続用コネクタカバー５が取り付けられている。また、外部接続用コネクタカバー５には、突起部５ａが一体成形されている。突起部５ａによって、折畳式携帯電話機１００を閉じる際の衝撃を吸収し、折畳式携帯電話機１００を閉じた状態で表示部側筐体１と操作部側筐体３とが直接接触しないようにできる。また、突起部５ａを外部接続用コネクタカバー５と一体成形することによって、部品点数の増加を防止し、組み立て作業の作業効率の低下やコストの増加を防止できる。【選択図】  図７
2006115163.tif 000002
【特許請求の範囲】
【請求項１】
第１の筐体部と第２の筐体部とが回動可能に接続された折畳式情報端末における、筐体への傷付きを防止するための傷付き防止構造であって、
前記第１の筐体部は、前記第２の筐体部に接続される側面と対向する側面に、外部装置に接続するための接続部を含み、
前記接続部には、弾性体材料を用いて作製された、当該接続部を保護するための保護部品が取り付けられ、
前記保護部品には、折畳式情報端末を折り畳んだ状態で前記第２の筐体部の筐体面に接することによって、前記第１の筐体部の筐体面と前記第２の筐体部の筐体面との間に隙間を生じさせる突起部が設けられ、
前記保護部品と前記突起部とは一体成形されている
ことを特徴とする折畳式情報端末の傷付き防止構造。
【請求項２】
突起部は、第１の筐体部の長手方向の中心線に対して略対称な形状となるように保護部品と一体成形されている請求項１記載の折畳式情報端末の傷付き防止構造。
【請求項３】
保護部品は、第１の筐体部に固定するための固定部と、第１の筐体部の接続部を覆う蓋部とを有し、
前記第１の筐体部の接続部に前記保護部品が取り付けられた状態で、前記保護部品の蓋部が開閉可能に形成されている
請求項１又は請求項２記載の折畳式情報端末の傷付き防止構造。
【請求項４】
第１の筐体部の接続部に保護部品が取り付けられた状態で、前記保護部品の固定部と蓋部との境界部と、前記第１の筐体部との間に空洞部が形成され、
前記境界部を押下すると、前記保護部品が前記空洞部側に押圧され変形されることにより発生する弾性力によって、前記蓋部が開く
請求項３記載の折畳式情報端末の傷付き防止構造。
【請求項５】
保護部品には、突起部とともに、折畳式情報端末の構成部品のうち、弾性体材料を用いて作製される当該保護部品以外の構成部品が一体成形されている請求項１から請求項４のうちのいずれか１項に記載の折畳式情報端末の傷付き防止構造。
【請求項６】
保護部品には、突起部とともに、折畳式情報端末の各キーボタン部が形成されるキーシート、ネジキャップ、又はイヤホンジャックカバーのうちの１つ又は複数が一体成形されている請求項５記載の折畳式情報端末の傷付き防止構造。
【請求項７】
保護部品は、第１の筐体部のコネクタ部を保護するためのコネクタカバーである請求項１から請求項６のうちのいずれか１項に記載の折畳式情報端末の傷付き防止構造。
【請求項８】
折畳式情報端末は、第１の筐体部と第２の筐体部とが回動可能に接続された折畳式携帯電話機である請求項１から請求項７のうちのいずれか１項に記載の折畳式情報端末の傷付き防止構造。
【請求項９】
第１の筐体部と第２の筐体部とが回動可能に接続された折畳式情報端末の保護部品であって、
弾性体材料を用いて作製され、
前記第１の筐体部の前記第２の筐体部に接続される側面と対向する側面に含まれる、外部装置に接続するための接続部に取り付けられ、
折畳式情報端末を折り畳んだ状態で前記第２の筐体部の筐体面に接するように突起部が一体成形されている
ことを特徴とする折畳式情報端末の保護部品。
【請求項１０】
第１の筐体部と第２の筐体部とが回動可能に接続された折畳式情報端末であって、
前記第１の筐体部は、前記第２の筐体部に接続される側面と対向する側面に、外部装置に接続するための接続部を含み、
前記接続部には、弾性体材料を用いて作製された、当該接続部を保護するための保護部品が取り付けられ、
前記保護部品には、折畳式情報端末を折り畳んだ状態で前記第２の筐体部の筐体面に接することによって、前記第１の筐体部の筐体面と前記第２の筐体部の筐体面との間に隙間を生じさせる突起部が設けられ、
前記保護部品と前記突起部とは一体成形されている
ことを特徴とする折畳式情報端末。
【発明の詳細な説明】
【技術分野】
【０００１】
本発明は、折畳式情報端末を折り畳む際の筐体への傷付きを防止する折畳式情報端末の筐体傷付き防止構造及び保護部品に関する。また、筐体傷付き防止構造を備えた折畳式情報端末に関する。
【背景技術】
【０００２】
折畳式携帯電話機等の折畳式情報端末では、表示部側筐体を操作部側筐体の側に閉じて折り畳む際に、表示部側筐体と操作部側筐体とが接触して傷が付かないように、弾性体から成る突起部が設けられている。この突起部は、例えば、折畳式情報端末の表示部側筐体又は操作部側筐体のいずれかの筐体面に設けられる。また、例えば、突起部は、筐体を固定するためのネジ隠しと一体的に形成される。また、例えば、突起部は、傷付きクッションと呼ばれる単体の部品として作製され筐体に取り付けられる。
【０００３】
また、例えば、特許文献１や特許文献２には、複数のキーボタン部が形成されるキーベースと呼ばれる弾性体シートに、突起部を一体形成した折畳み型携帯通信装置が記載されている。
【０００４】
【特許文献１】特開２００３−２６４６１７号公報（段落００２１−００２５、図３）
【特許文献２】特開２００３−３０８７５３号公報（段落０００９−００１５、図１−３）
【発明の開示】
【発明が解決しようとする課題】
【０００５】
突起部を単体の部品である傷付き防止クッションとして作製すると、折畳式情報端末の部品点数が増加する。また、傷付き防止クッションを表示部側筐体又は操作部側筐体に貼り付けるという作業が発生する。そのため、折畳式情報端末を組み立てる際の作業効率が低下し、折畳式情報端末の製作コストが増加する。また、傷付き防止クッションを筐体面に貼付しているにすぎないので、傷付き防止クッションが剥がれてしまうと筐体の傷付きを防止できなくなる。
【０００６】
特許文献１や特許文献２に記載された折畳み型携帯通信装置では、突起部をキーベースに一体形成するので、部品点数の増加を防止し、作業効率の低下を防止することができる。しかし、一度折畳式情報端末を組み立ててしまうと、キーベースを容易に取り替えることができない。そのため、情報端末の組み立て後に突起部が損傷してしまった場合には、筐体への傷付きを防止できなくなる可能性がある。
【０００７】
また、キーベースは情報端末の操作部の機能を実現するための重要部品であり、キーベースに用いる弾性体材料の硬度は、操作部のキーボタンの操作性を確保するため最適な値となるように定められる。弾性体材料の硬度を操作性を基準に決定しなければならないので、折畳式情報端末を折り畳む際の衝撃を吸収するために最適な硬度となるように突起部を形成できるとは限らない。そのため、突起部をキーベースに一体形成すると、筐体への傷付きを十分に防止できない可能性がある。
【０００８】
そこで、本発明は、組み立て作業の作業効率の低下やコストの増加を防止できるとともに、筐体への傷付きを確実に防止できる折畳式情報端末の筐体傷付き防止構造、折畳式情報端末の保護部品、及び折畳式情報端末を提供することを目的とする。
【課題を解決するための手段】
【０００９】
本発明による折畳式情報端末の傷付き防止構造は、第１の筐体部（例えば、操作部側筐体３）と第２の筐体部（例えば、表示部側筐体１）とが回動可能に接続された折畳式情報端末（例えば、折畳式携帯電話機１００）における、筐体への傷付きを防止するための傷付き防止構造であって、第１の筐体部は、第２の筐体部に接続される側面と対向する側面に、外部装置（例えば、ケーブルのプラグ１０や充電器）に接続するための接続部（例えば、外部接続用コネクタ９を含む外部接続部）を含み、接続部には、弾性体材料（例えば、合成ゴム等のエラストマ）を用いて作製された、接続部を保護するための保護部品（例えば、外部接続用コネクタカバー５）が取り付けられ、保護部品には、折畳式情報端末を折り畳んだ状態で第２の筐体部の筐体面に接することによって、第１の筐体部の筐体面と第２の筐体部の筐体面との間に隙間を生じさせる突起部が設けられ、保護部品と突起部とは一体成形されていることを特徴とする。
【００１０】
また、折畳式情報端末の傷付き防止構造において、突起部は、第１の筐体部の長手方向の中心線に対して略対称な形状となるように保護部品と一体成形されているものであってもよい。そのような構成によれば、第１の筐体部と第２の筐体部との間の隙間を一定に保つことができ、より確実に筐体への傷付きを防止することができる。
【００１１】
また、折畳式情報端末の傷付き防止構造において、保護部品は、第１の筐体部に固定するための固定部と、第１の筐体部の接続部を覆う蓋部とを有し、第１の筐体部の接続部に保護部品が取り付けられた状態で、保護部品の蓋部が開閉可能に形成されているものであってもよい。
【００１２】
また、折畳式情報端末の傷付き防止構造は、第１の筐体部の接続部に保護部品が取り付けられた状態で、保護部品の固定部と蓋部との境界部（例えば、角部５ｄ）と、第１の筐体部との間に空洞部（例えば、クリアランス５ｅ）が形成され、境界部を押下すると、保護部品が空洞部側に押圧され変形されることにより発生する弾性力によって、蓋部が開くものであってもよい。そのような構成によれば、保護部品の蓋部を容易に開くことができ、折畳式情報端末を外部装置に外部接続する際の使い勝手を向上させることができる。
【００１３】
また、折畳式情報端末の傷付き防止構造において、保護部品には、突起部とともに、折畳式情報端末の構成部品のうち、弾性体材料を用いて作製される保護部品以外の構成部品（例えば、キーシート８やネジキャップ、イヤホンジャック）が一体成形されているものであってもよい。そのような構成によれば、保護部品に突起部を一体成形する場合と比較して、より部品点数の増加を防止でき、折畳式情報端末を組み立てる際の作業効率の低下やコストの増加を防止することができる。
【００１４】
また、折畳式情報端末の傷付き防止構造において、保護部品には、突起部とともに、折畳式情報端末の各キーボタン部が形成されるキーシート、ネジキャップ、又はイヤホンジャックカバーのうちの１つ又は複数が一体成形されているものであってもよい。
【００１５】
また、折畳式情報端末の傷付き防止構造において、保護部品は、第１の筐体部のコネクタ部を保護するためのコネクタカバーであってもよい。
【００１６】
また、折畳式情報端末の傷付き防止構造において、折畳式情報端末は、第１の筐体部と第２の筐体部とが回動可能に接続された折畳式携帯電話機であってもよい。
【００１７】
本発明による折畳式情報端末の保護部品は、第１の筐体部と第２の筐体部とが回動可能に接続された折畳式情報端末の保護部品であって、弾性体材料を用いて作製され、第１の筐体部の第２の筐体部に接続される側面と対向する側面に含まれる、外部装置に接続するための接続部に取り付けられ、折畳式情報端末を折り畳んだ状態で第２の筐体部の筐体面に接するように突起部が一体成形されていることを特徴とする。
【００１８】
本発明による折畳式情報端末は、第１の筐体部と第２の筐体部とが回動可能に接続された折畳式情報端末であって、第１の筐体部は、第２の筐体部に接続される側面と対向する側面に、外部装置に接続するための接続部を含み、接続部には、弾性体材料を用いて作製された、接続部を保護するための保護部品が取り付けられ、保護部品には、折畳式情報端末を折り畳んだ状態で第２の筐体部の筐体面に接することによって、第１の筐体部の筐体面と第２の筐体部の筐体面との間に隙間を生じさせる突起部が設けられ、保護部品と突起部とは一体成形されていることを特徴とする。
【発明の効果】
【００１９】
本発明によれば、第１の筐体部の接続部に保護部品が取り付けられ、保護部品には突起部が一体成形されている。突起部が弾性体材料を用いて作製されているので、折畳式情報端末を閉じる際の衝撃を吸収できる。また、第１の筐体部の筐体面と第２の筐体部の筐体面との間に隙間が生じるので、第１の筐体部と第２の筐体部とが直接接触しないようにできる。また、突起部を保護部品に一体成形するので、突起部を単体の部品として作製する場合と比較して部品点数の増加を防止でき、折畳式情報端末を組み立てる際の作業効率の低下や製作コストの増加を防止することができる。また、突起部を保護部品に一体成形するので、他の部品と一体成形する場合と比較して、より確実に筐体への傷付きを防止できる。従って、組み立て作業の作業効率の低下やコストの増加を防止できるとともに、筐体への傷付きを確実に防止することができる。
【発明を実施するための最良の形態】
【００２０】
実施の形態１．
以下、本発明の第１の実施の形態を図面を参照して説明する。図１は、本発明による傷付き防止構造を備えた折畳式情報端末の一例を示す斜視図である。図１に示すように、本実施の形態では、折畳式情報端末が携帯電話機１００である場合を例に説明する。また、図１は、折畳式携帯電話機１００を開いた状態に相当する。なお、折畳式情報端末は、携帯電話機に限らず、例えば、表示部側筐体と操作部側筐体との折り畳み構造を備えたＰＤＡ等であってもよい。
【００２１】
図１に示すように、折畳式携帯電話機１００は、表示部２を含む表示部側筐体１と、複数のキーボタンを有する操作部４を含む操作部側筐体３とを含む。表示部側筐体１及び操作部側筐体３は、例えば、合成樹脂等を用いた剛性体によって作製される。また、表示部側筐体１と操作部側筐体３とは、開閉軸を有するヒンジ部１１で回動可能に接続されている。なお、「回動」とは、ある軸に対して正逆方向に円運動できることをいう。本実施の形態では、折畳式携帯電話機１００において、ヒンジ部１１を軸として、例えば、表示部側筐体１を操作部側筐体３の側に閉じたり、開いたりすることができる。
【００２２】
操作部側筐体３は、ヒンジ部１１を介して表示部側筐体１に接続される側面と対向する側面に、ケーブルのプラグや充電器等の外部機器を接続するための外部接続部を含む。また、図１に示すように、操作部側筐体３の外部接続部には、外部接続部を保護するための外部接続用コネクタカバー５が取り付けられている。なお、本実施の形態では、操作部側筐体３の各面のうち、操作部４が含まれる側の面を表面といい、表面に対向する面を裏面という。
【００２３】
図２は、携帯電話機１００の構成の例を示すブロック図である。図２に示すように、携帯電話機１００は、電波の送受信を行うアンテナ１２０と、制御部１２１と、記憶部１２２と、無線通信部１２３と、操作部４と、表示部２と、カメラユニット（以下、「カメラ」という。）１２６と、リンガー発生器１２７と、リンガー駆動部１２８と、音声出力用のスピーカ１２９と、音声入力用のマイクロフォン１３０とを備えている。
【００２４】
制御部１２１は、例えばＣＰＵ（中央処理装置）と、図示しない各種の周辺回路とで構成され、携帯電話機１００が備える各部の制御を行う機能を有する。
【００２５】
記憶部１２２は、例えばＲＡＭ等の記憶媒体によって構成され、制御部１２１が実行する制御プログラム等の各種のデータが格納される。なお、記憶部１２２の一部がＲＯＭによって構成されていてもよく、ＲＯＭ部分に制御プログラムが格納されていてもよい。
【００２６】
無線通信部１２３は、所定の通信プロトコルに従って信号の変復調を行う機能を有する。具体的には、無線通信部１２３は、無線信号を、アンテナ１２０を介して受信して復調する処理を行う。また、無線通信部１２３は、制御部１２１から出力された信号を変調し、アンテナ１２０を介して無線信号を送信する処理を行う。
【００２７】
操作部４は、例えば、電話番号の入力等を行うためのキーボタンによって構成される。操作部４は、ユーザの操作に応じた入力信号を制御部１２１に出力する機能を有する。
【００２８】
表示部２は、例えばＬＣＤ（Liquid Cristal Display：液晶表示装置）によって構成され、携帯電話機１００の折畳時に筐体の内側となる位置に配設される。表示部２には、例えば待ち受け画面や機能設定画面等が表示される。
【００２９】
カメラ１２６は、例えばディジタルカメラが備える各種の機能を有し、被写体を撮像するＣＣＤ等の撮像素子や、撮像によって得た画像データを制御部１２１に出力する回路等を備えている。
【００３０】
リンガー駆動部１２８は、制御部１２１の制御に従ってリンガー発生器１２７に駆動信号を出力する機能を有する。
【００３１】
リンガー発生器１２７は、リンガー駆動部１２８からの駆動信号に従って、着信音を出力する機能を有する。
【００３２】
図３は、図１に示す折畳式携帯電話機１００の操作部側筐体３の外部接続部周辺を拡大して示した説明図である。図３に示すように、操作部側筐体３は、エラストマ等の弾性体材料を用いて作製された外部接続用コネクタカバー５が取り付けられている。例えば、操作部側筐体３は、弾性体材料として合成ゴムを用いて作製された外部接続用コネクタカバー５が取り付けられている。
【００３３】
図４は、外部接続用コネクタカバー５単体の外観を示す斜視図である。本実施の形態では、外部接続用コネクタカバー５のうち、操作部側筐体３に取り付けられた状態で、操作部側筐体３の側に面することによって外観上見えなくなる側を裏側いい、外部に露出する側を表側という。
【００３４】
図４に示すように、外部接続用コネクタカバー５は、操作部側筐体３に固定するための固定部５ｉと、操作部側筐体３に取り付けられた状態で外部接続部を覆う蓋部５ｊとを含む。図４に示すように、固定部５ｉは、操作部側筐体３に圧入固定するための２つのフック部５ｂを含む。図４に示すように、２つのフック部５ｂは、固定部５ｉの１つの側面側に形成されている。また、図４に示すように、固定部５ｉと蓋部５ｊとの境界部（以下、角部ともいう）５ｄの裏側には凹部５ｋが形成されている。外部接続用コネクタカバー５は、凹部５ｋで折れ曲がることによって、操作部側筐体３に取り付けられた状態で蓋部５ｊが開閉可能となるように形成されている。
【００３５】
図３及び図４に示すように、外部接続用コネクタカバー５は、固定部５ｉの表側に筐体への傷付きを防止するための突起部５ａを含む。本実施の形態では、外部接続用コネクタカバー５を作製する際に、突起部５ａが外部接続用コネクタカバー５に一体成形される。また、図３及び図４に示すように、突起部５ａは、外部接続用コネクタカバー５の各面のうちの表面側（外部接続用コネクタカバー５を操作部側筐体３に取り付けた状態で、操作部側筐体３の操作部４がある面と同じ面側）に形成される。
【００３６】
また、図３及び図４に示すように、突起部５ａは、操作部側筐体３の長手方向の中心線（図３に示す波線Ｂ。以下、単に中心線という）に対して、左右略対称となるように形成されている。なお、図３及び図４に示す例では、操作部側筐体３の中心線に対して左右略対称な形状の１つの突起部５ａが外部接続用コネクタカバー５に一体形成されている場合を示しているが、例えば、操作部側筐体３の中心線に対して左右略対称となるように、複数の突起部が外部接続用コネクタカバー５に形成されていてもよい。
【００３７】
また、外部接続用コネクタカバー５には、蓋部５ｊに外部接続用コネクタカバー５を開く際に爪を引っ掛けて開きやすくするための爪引っ掛け部５ｃが形成されている。
【００３８】
次に、操作部側筐体３に外部接続用コネクタカバー５を取り付ける取付方法を説明する。外部接続用コネクタカバー５の操作部側筐体３への取付作業は、例えば作業員によって行われる。
【００３９】
図５及び図６は、外部接続用コネクタカバー５の取り付け手順の例を示す説明図である。図５は、図３に示す操作部側筐体３の外部接続部周辺を、表面側から見た平面図に相当する。図５（ａ）は、操作部側筐体３に外部接続用コネクタカバー５を取り付ける前の状態を示す。また、図５（ｂ）は、操作部側筐体３に外部接続用コネクタカバー５を取り付けている途中の状態を示す。また、図５（ｃ）は、外部接続用コネクタカバー５の取り付けを完了した状態を示す。
【００４０】
図６は、図３に示す操作部側筐体３の外部接続部周辺を、操作部側筐体３の中心線が通る面（図３に示すＡ−Ａ面）で切断した断面図に相当する。また、図６は、図５に示す取り付け手順を断面側から見た図に相当する。図６（ａ）は、操作部側筐体３に外部接続用コネクタカバー５を取り付ける前の状態を示す。また、図６（ｂ）は、操作部側筐体３に外部接続用コネクタカバー５を取り付けている途中の状態を示す。また、図６（ｃ）は、外部接続用コネクタカバー５の取り付けを完了した状態を示す。
【００４１】
図６に示すように、折畳式携帯電話機１００の操作部側筐体３には、外部接続用コネクタカバー５のフック部５ｂを挿入するための切り欠き部３ａが設けられている。また、操作部側筐体３の内部には、外部接続用コネクタカバー５のフック部５ｂが圧入固定される２つの被固定部３ｂが設けられている。また、図５に示すように、外部接続用コネクタカバー５のフック部５ｂは、先端部に傾斜部５１を含む。また、フック部５ｂは、操作部側筐体３の被固定部３ｂに引っ掛けるための引っ掛け部５２を含む。
【００４２】
図５（ａ）及び図６（ａ）に示すように、外部接続用コネクタカバー５のフック部５ｂを、操作部側筐体３の切り欠き部３ａに挿入（圧入）すると、傾斜部５１が操作部側筐体３内部の被固定部３ｂに摺接する。すると、図５（ｂ）及び図６（ｂ）に示すように、傾斜部５１が被固定部３ｂに摺接することによって、フック部５ｂが内側に縮むように変形され２つの被固定部３ｂの間を通過する。なお、「摺接」とは、傾斜部５１が固定部３ｂに滑る状態で接していることをいう。
【００４３】
フック部５ｂが２つの被固定部３ｂの間を通過すると、図５（ｃ）に示すように、フック部５ｂは、弾性力によって変形前の状態に戻る。すると、図５（ｃ）に示すように、フック部５ｂの引っ掛け部５２が操作部側筐体３の被固定部３ｂに引っ掛かった状態となり、外部接続用コネクタカバー５が操作部側筐体３に圧入固定される。
【００４４】
また、図６に示すように、操作部側筐体３の外部接続部には、凹部３ｃが設けられている。また、図６に示すように、外部接続用コネクタカバー５の蓋部５ｊには、外部接続用コネクタカバー５が操作部側筐体３に取り付けられた状態で外部接続部の凹部３ｃに接する部分に凸部５ｆが形成されている。
【００４５】
外部接続用コネクタカバー５が操作部側筐体３に圧入固定されると、図６（ｃ）に示すように、外部接続用コネクタカバー５の凸部５ｆを操作部側筐体３の凹部３ｃに嵌め込むことによって、外部接続用コネクタカバー５の取り付けが完了する。また、凸部５ｆを凹部３ｃに嵌め込むことによって、図６（ｃ）に示すように、外部接続部の外部接続用コネクタ９が蓋部５ｊで覆われた状態となり、外部接続用コネクタカバー５が不用意に開かないようにすることができる。
【００４６】
以上の手順に従って、外部接続用コネクタカバー５が操作部側筐体３に取り付けられる。また、外部接続用コネクタカバー５を圧入固定によって容易に取り付けられるので、折畳式携帯電話機１００の組み立て後に外部接続用コネクタカバー５が損傷した場合であっても容易に交換できる。
【００４７】
なお、外部接続部の外部接続用コネクタ９にプラグ等を接続する場合には、爪引っ掛け部５ｃを爪で引っ掛けて蓋部５ｊを表面側に持ち上げることによって、外部接続用コネクタカバー５が凹部５ｋで折れ曲がり蓋部５ｊを開くことができる。
【００４８】
図７は、折畳式携帯電話機１００を閉じた状態を示す断面図である。図７は、折畳式携帯電話機１００を閉じた状態で、操作部側筐体３の中心線が通る面で切断したＡ−Ａ断面図に相当する。
【００４９】
本実施の形態では、外部接続用コネクタカバー５に突起部５ａが設けられているので、表示部側筐体１をヒンジ部１１を軸として操作部側筐体３の側に閉じる動作を行うと、表示部側筐体１の表示部２がある面が突起部５ａに接する。本実施の形態では、外部接続用コネクタカバー５が弾性体材料を用いて成形されているので、表示部側筐体１が突起部５ａにあたったときに、折畳式携帯電話機１００を閉じる際の衝撃を突起部５ａで吸収することができる。
【００５０】
また、図７に示すように、突起部５ａが操作部側筐体３の操作部４のある面から所定の高さ分突起しているので、折畳式携帯電話機１００を閉じた状態で表示部側筐体１と操作部側筐体３との間に一定の隙間１２ができる。そのため、折畳式携帯電話機１００を閉じる動作を行ったときに、表示部側筐体１の表示部２がある面と操作部側筐体３の操作部４がある面とが直接接触しないようにすることができる。従って、突起部５ａを設けることによって、筐体への傷付きを防止することができる。
【００５１】
以上のように、本実施の形態によれば、操作部側筐体３の外部接続部に外部接続用コネクタカバー５が取り付けられ、外部接続用コネクタカバー５には突起部５ａが一体成形されている。突起部５ａが弾性体材料を用いて作製されているので、折畳式携帯電話機１００を閉じる際の衝撃を突起部５ａで吸収することができる。また、突起部５ａによって、折畳式携帯電話機１００を折り畳んだ状態で表示部側筐体１と操作部側筐体３との間に隙間１２が生じるので、表示部側筐体１と操作部側筐体３とが直接接触しないようにできる。
【００５２】
また、本実施の形態では、突起部５ａを外部接続用コネクタカバー５に一体成形するので、突起部を単体の部品として作製する場合と比較して部品点数の増加を防止でき、折畳式携帯電話機１００を組み立てる際の作業効率の低下や製作コストの増加を防止することができる。また、突起部５ａを外部接続用コネクタカバー５に一体成形することによって、突起部が筐体面から剥がれて脱落するのを防止できる。従って、組み立て作業の作業効率の低下や製作コストの増加を防止できるとともに、筐体への傷付きを防止することができる。
【００５３】
また、傷付き防止用の突起部をキーボタン部が形成されるキーシートに一体形成することも考えられるが、一般に折畳式携帯電話機１００を一度組み立ててしまうと、キーシートを容易に交換することができない。そのため、折畳式携帯電話機１００の組み立て後に、突起部が損傷してしまった場合には筐体部への傷付きを防止できなくなる可能性がある。本実施の形態では、キーシートと比較して部品交換が容易な外部接続用コネクタカバー５に突起部５ａを形成している。そのため、突起部５ａが損傷してしまった場合であっても、外部接続用コネクタカバー５を交換することによって容易に突起部５ａを修復できる。よって、突起部をキーシートに一体形成する場合と比較して、より確実に筐体への傷付きを防止することができる。
【００５４】
また、一般に、キーシートは、操作部の操作性確保のため、作製に用いる弾性体材料の硬度が制約されてしまう。外部接続用コネクタカバー５は、操作部側筐体３の外部接続部を覆って保護することを目的とするにすぎないので、一般に作製に用いる弾性体材料の硬度の制約がない。そのため、折畳式携帯電話機１００を折り畳む際の衝撃を吸収するために最適な硬度をもつ弾性体材料を選択して、外部接続用コネクタカバー５を作製することができる。
【００５５】
例えば、キーシートは、キーボタン部の操作性を確保するため硬度が柔らかめの弾性体材料を用いて作製されることが多い。しかし、突起部の硬度が柔らかすぎると、折畳式携帯電話機１００を閉じる動作を行った場合の衝撃によって突起部が損傷しやすくなる。そのため、突起部をキーシートに一体形成すると、突起部が損傷しやすく筐体への傷付きを防止できなくなる可能性がある。
【００５６】
これに対して、外部接続用コネクタカバー５では硬度の制約がないので、例えば、キーシートよりも硬度が硬めの弾性体材料を用いて、突起部５ａを一体成形した外部接続用コネクタカバー５を作製することができる。そのため、キーシートと比較して突起部が損傷しにくく筐体への傷付きをより確実に防止することができる。従って、突起部をキーシートに一体形成する場合と比較して、組み立て作業の作業効率の低下や製作コストの増加を防止できるとともに、筐体への傷付きをより確実に防止することができる。
【００５７】
また、本実施の形態では、突起部５ａを外部接続用コネクタカバー５に形成している。そのため、操作部側筐体３のうちのヒンジ部１１から離れた場所に突起部５ａを形成することができる。また、本実施の形態では、外部接続用コネクタカバー５に、操作部側筐体３の中心線に対して略対称となるように突起部５ａを形成している。そのため、表示部側筐体１と操作部側筐体３との間の隙間１２が、操作部側筐体３の中心線に対して左右対称となるようにできる。従って、表示部側筐体１と操作部側筐体３との間の隙間１２を一定に保つことができ、より確実に筐体への傷付きを防止することができる。
【００５８】
実施の形態２．
次に、本発明の第２の実施の形態を図面を参照して説明する。なお、本実施の形態において、折畳式携帯電話機１００の構成や機能は第１の実施の形態で示した構成や機能と同様である。また、本実施の形態において、操作部側筐体３に外部接続用コネクタカバー５を取り付ける取付方法は、第１の実施の形態で示した取付方法と同様である。本実施の形態では、操作部側筐体３に取り付けられた状態で、外部接続用コネクタカバー５を開く際の開け方が、第１の実施の形態と異なる。
【００５９】
図８は、本実施の形態における外部接続用コネクタカバー５を取り付けた操作部側筐体３の外部接続部周辺を、操作部側筐体３の中心線が通る面で切断した断面図である。図８に示すように、本実施の形態では、外部接続用コネクタカバー５が操作部側筐体３に取り付けられた状態で、外部接続用コネクタカバー５と操作部側筐体３との間に所定の大きさの空洞５ｅが形成されている。本実施の形態では、図８に示すように、外部接続用コネクタカバー５のうちの角部５ｄの裏側に空洞５ｅができる。以下、角部５ｄの裏側にできる空洞５ｅをクリアランスという。
【００６０】
次に、外部接続用コネクタカバー５を操作部側筐体３に取り付けた状態で、外部接続用コネクタカバー５を開く手順を説明する。図９は、外部接続用コネクタカバー５の開け方の手順の例を示す説明図である。図９（ａ）は、外部接続用コネクタカバー５を開く前の状態を示す。図９（ｂ）は、外部接続用コネクタカバー５を開いている途中の状態を示す。図９（ｃ）は、外部接続用コネクタカバー５を開け終わった状態を示す。なお、図９は、外部接続用コネクタカバー５を取り付けた操作部側筐体３の外部接続部周辺を、操作部側筐体３の中心線が通る面で切断した断面図に相当する。
【００６１】
まず、図９（ａ）に示すように、外部接続用コネクタカバー５の角部５ｄを押す。すると、図９（ｂ）に示すように、角部５ｄがクリアランス５ｅ側に押圧され、角部５ｄが撓んで変形する。角部５ｄが変形すると、外部接続用コネクタカバー５が変形されたことにより発生する弾性力によって、外部接続用コネクタカバー５の蓋部５ｊに対して垂直方向（図９（ｂ）に示すＹ方向）に力が加わる。外部接続用コネクタカバー５が変形されたことによる弾性力によって、外部接続用コネクタカバー５の凸部５ｆが操作部側筐体３の凹部３ｃから外れ、外部接続用コネクタカバー５が開いた状態となる。そして、図９（ｃ）に示すように、操作部側筐体３の外部接続用コネクタ９にプラグ１０を差し込むことができる。
【００６２】
以上のように、本実施の形態によれば、操作部側筐体３と外部接続用コネクタカバー５の境界部５ｄとの間にクリアランス５ｅが形成されている。そして、境界部５ｄを押下すると、外部接続用コネクタカバー５がクリアランス５ｅ側に押圧され変形されることにより発生する弾性力によって、外部接続用コネクタカバー５の蓋部５ｊが開く。
【００６３】
外部接続用コネクタカバー５の境界部５ｄを外部から押すだけで蓋部５ｊが開くので、爪引っ掛け部５ｃに爪を引っ掛けて開く場合と比較して、外部接続用コネクタカバー５の蓋部５ｊを容易に開くことができる。従って、外部接続用コネクタカバー５を容易に開くことができ、折畳式携帯電話機１００をプラグ１０等に外部接続する際の使い勝手を向上させることができる。
【００６４】
実施の形態３．
次に、本発明の第３の実施の形態を図面を参照して説明する。図１０は、傷付き防止構造を備えた折畳式携帯電話機の他の例を示す断面図である。図１０は、外部接続用コネクタカバー５を取り付けた操作部側筐体３の外部接続部周辺を、操作部側筐体３の中心線が通る面で切断した断面図に相当する。
【００６５】
第１の実施の形態及び第２の実施の形態では外部接続用コネクタカバー５に突起部５ａを一体成形する場合を説明したが、図１０に示すように、本実施の形態では、キーボタン部を含む弾性体シートであるキーシート８、外部接続用コネクタカバー８ｂ及び筐体傷付き防止突起部８ａを１つの弾性体部品として一体成形する。
【００６６】
以上のように、本実施の形態によれば、外部接続用コネクタカバー８ｂ及び筐体傷付き防止突起部８ａに加えて、更にキーシート８を一体成形する。そのため、外部接続用コネクタカバー５に突起部５ａを一体成形する場合と比較して、より部品点数の増加を防止でき、折畳式携帯電話機１００を組み立てる際の作業効率の低下やコストの増加を防止することができる。
【００６７】
なお、キーシート８、筐体傷付き防止突起部８ａ及び外部接続用コネクタカバー８ｂを一体形成する場合に限らず、他の弾性体部品を一体形成してもよい。例えば、筐体傷付き防止突起部８ａ及び外部接続用コネクタカバー８ｂに加えて、ネジキャップやイヤホンジャック等の弾性体部品を一体成形してもよい。また、例えば、筐体傷付き防止突起部８ａ及び外部接続用コネクタカバー８ｂに加えて、ネジキャップ、イヤホンジャック又はキーシート８のいずれか２つ以上を組み合わせて一体成形してもよい。
【産業上の利用可能性】
【００６８】
本発明は、折畳式携帯電話機をはじめとした折り畳み構造を有する折畳式情報端末に適用できる。特に、本発明を用いることにより、折畳式情報端末の筐体への傷付きを防止することができる。
【図面の簡単な説明】
【００６９】
【図１】本発明による傷付き防止構造を備えた折畳式情報端末の一例を示す斜視図である。
【図２】携帯電話機１００の構成の例を示すブロック図である。
【図３】図１に示す折畳式携帯電話機１００の操作部側筐体３の外部接続部周辺を拡大して示した説明図である。
【図４】外部接続用コネクタカバー５単体の外観を示す斜視図である。
【図５】外部接続用コネクタカバー５の取り付け手順の例を示す説明図である。
【図６】図５に示す取付手順をＡ−Ａ面で切断して示した断面図である。
【図７】折畳式携帯電話機１００を閉じた状態を示す断面図である。
【図８】本実施の形態における外部接続用コネクタカバー５を取り付けた操作部側筐体３の外部接続部周辺を、操作部側筐体３の中心線が通る面で切断した断面図である。
【図９】外部接続用コネクタカバー５の開き方の手順の例を示す説明図である。
【図１０】傷付き防止構造を備えた折畳式携帯電話機の他の例を示す断面図である。
【符号の説明】
【００７０】
１  表示部側筐体
２  表示部
３  操作部側筐体
３ａ  切り欠き部
３ｂ  被固定部
３ｃ  凹部
４  操作部
５  外部接続用コネクタカバー
５ａ  突起部
５ｂ  フック部
５ｃ  爪引っ掛け部
５ｄ  角部
５ｆ  凸部
５ｉ  固定部
５ｊ  蓋部
１００  折畳式携帯電話機
１２０  アンテナ
１２１  制御部
１２２  記憶部
１２３  無線通信部
１２６  カメラ
１２７  リンガー発生器
１２８ リンガー駆動部
１２９  スピーカ
１３０  マイクロフォン
【図１】
2006115163.tif 000003
【図２】
2006115163.tif 000004
【図３】
2006115163.tif 000005
【図４】
2006115163.tif 000006
【図５】
2006115163.tif 000007
【図６】
2006115163.tif 000008
【図７】
2006115163.tif 000009
【図８】
2006115163.tif 000010
【図９】
2006115163.tif 000011
【図１０】
2006115163.tif 000012